(57)【要約】【課題】各ユーザーのタッチパネルに対する操作に基づく指示を正確に読み取ることができるような構成のタッチパネル入力装置を提供する。【解決手段】タッチパネル入力装置１は、表示部９１と、指等を接触させたときにその接触位置を検出するタッチパネル装置２とを備え、上パネル部１０にユーザーが指等を接触させたときにその接触位置と表示部９１の表示とを対応させてユーザーの指示を読み取って入力し、指示接触位置とタッチパネル装置２により検出した実接触位置との位置ずれ特性を各ユーザー毎に対応して取得し記憶したデータ記憶部４２と、指等を接触させる操作を行うときに、どのユーザーであるかを識別する情報処理部４１、データ記憶部４２と、タッチパネル２により検出した実接触位置を読み出した位置ずれ特性を用いて補正し、補正接触位置と表示部９１の表示とを対応させてユーザーの指示を読み取る情報処理部４１とを備える。【選択図】図１
2010286942.tif 000002
【特許請求の範囲】
【請求項１】
ディスプレイ画面を有する表示装置と、
前記ディスプレイ画面の前面に配置された前記ディスプレイ画面を透視可能なパネル部を有し、前記パネル部に指等を接触させたときにその接触位置を検出するように構成されたタッチパネル装置とを備えて構成され、
前記ディスプレイ画面の表示に基づいて前記パネル部に操作者が指等を接触させたときにその接触位置と前記ディスプレイ画面の表示とを対応させて前記操作者の指示を読み取って入力するように構成されたタッチパネル入力装置において、
複数の操作者がそれぞれ前記ディスプレイ画面の表示に基づいて前記パネル部に指等を接触させたときにおける前記ディスプレイ画面の表示により指示した指示接触位置と前記タッチパネル装置により検出した実接触位置との位置ずれ特性を各操作者毎に対応して取得し記憶した特性記憶部と、
前記複数の操作者のいずれかが前記ディスプレイ画面の表示に基づいて前記パネル部に指等を接触させる操作を行うときに、どの操作者であるかを識別する識別部と、
前記識別部において識別した操作者に対応する位置ずれ特性を前記特性記憶部から読み出し、前記識別した操作者が前記ディスプレイ画面の表示に基づいて前記パネル部に指等を接触させる操作を行ったときに、前記タッチパネル装置により検出した実接触位置を前記読み出した位置ずれ特性を用いて補正し、このように補正した補正接触位置と前記ディスプレイ画面の表示とを対応させて前記操作者の指示を読み取る情報処理部とを備えたことを特徴とするタッチパネル入力装置。
【請求項２】
前記特性記憶部は、前記ディスプレイ画面に接触すべき位置表示を行うとともに前記パネル部を透視して見た前記接触すべき位置を前記操作者の指等で接触させ、このときに前記タッチパネル装置により検出した実接触位置を前記ディスプレイ画面の表示により指示した指示接触位置と比較して、前記操作者の位置ずれ特性を得るようになっていることを特徴とする請求項１に記載のタッチパネル入力装置。
【請求項３】
前記特性記憶部においては、操作者毎に識別コードが付与されて前記操作者の位置ずれ特性が記憶され、前記識別部においては前記識別コードを入力させてどの操作者であるかの識別を行うことを特徴とする請求項１もしくは２に記載のタッチパネル入力装置。
【発明の詳細な説明】
【技術分野】
【０００１】
本発明は、ディスプレイ画面の前面に配置されたパネル部に指等を接触させたときにその接触位置を検出するタッチパネル入力装置に関する。
【背景技術】
【０００２】
従来のタッチパネル装置として、片側表面に抵抗膜が形成された二つの基板を、各抵抗膜が対向するようにしてスペーサを挟んで積層した抵抗膜式のものや光学的に接触位置を検出するものが知られており、様々な携帯情報端末等に広く用いられている。なお、携帯情報端末においては一般的にディスプレイ画面のサイズが小さいため、押圧表示部のサイズも小さくなりがちであり、押圧位置の検出を高い精度で行うことが求められる。
【０００３】
このようなタッチパネル装置において押圧位置の検出精度を良好に維持するために、特許文献１には、検出領域における任意の位置の押圧による検出座標に基づいて、補正演算式を決定するキャリブレーションを行うことが提案されている。また、押圧位置の検出精度のみを高くしても、操作者がタッチパネルを透して見るときの方向、すなわち見る角度に応じてディスプレイ画面の見える位置にずれが生じて押圧位置がずれるという問題に鑑み、特許文献２には、操作者毎に異なる押圧位置とのずれを自動で修正するキャリブレーション手段として、操作者の身長を検出し、視線位置のずれを取得して押圧位置の補正を行ってこのような問題を解決する方法が提案されている。
【先行技術文献】
【特許文献】
【０００４】
【特許文献１】特許第４１８９６６７号公報
【特許文献２】特開２００７−２０７００８号公報
【発明の概要】
【発明が解決しようとする課題】
【０００５】
ところでこのようなタッチパネル装置においては、押圧位置そのものの検出精度を高めることは当然ながら必要であるが、ディスプレイ画面の表示に基づいてタッチパネル部に操作者が指等を接触させたときにその接触位置とディスプレイ画面の表示とを対応させて操作者の指示を読み取って入力するという構成であるため、操作者がディスプレイの表示により指示された位置に指等を正しく接触させるか否かということによりその検出精度が大きく左右されるという事情がある。例えば、操作者がディスプレイ画面を斜め横から見る癖があったり、ディスプレイ画面の表示における押圧指示に対して片側によった位置を押圧する癖があったり、押圧力が操作者毎に異なるということにより、実際の接触位置がディスプレイの表示による指示位置に対してズレが生じることがある。
【０００６】
ここで、上記特許文献１に記載されたタッチパネル装置では、操作者が異なるときでの押圧位置の差は考慮されないため、上述の問題、すなわち、押圧力が操作者毎に異なることにより実際の接触位置がディスプレイの表示による指示位置に対してズレが生じるという問題には対処できない。一方、特許文献２に記載されたタッチパネル装置では、操作者の身長、立ち位置等に応じた物理量である視線の変動が考慮されるが、それ以外の要素、例えば、上述したような操作者毎の癖、操作者毎の操作時の押圧力傾向の相違等により実際の接触位置がディスプレイの表示による指示位置に対してズレが生じるという問題には対処できない。
【０００７】
本発明は以上のような事情および問題に鑑みたもので、操作者毎に相違する種々の条件を加味し、各操作者のタッチパネルに対する操作に基づく指示を正確に読み取ることができるような構成のタッチパネル入力装置を提供することを目的とする。
【０００８】
本発明に係るタッチパネル入力装置は、ディスプレイ画面を有する表示装置と、前記ディスプレイ画面の前面に配置された前記ディスプレイ画面を透視可能なパネル部を有し、前記パネル部に指等を接触させたときにその接触位置を検出するように構成されたタッチパネル装置とを備えて構成され、前記ディスプレイ画面の表示に基づいて前記パネル部に操作者が指等を接触させたときにその接触位置と前記ディスプレイ画面の表示とを対応させて前記操作者の指示を読み取って入力するように構成される。さらに、このタッチパネル入力装置は、複数の操作者がそれぞれ前記ディスプレイ画面の表示に基づいて前記パネル部に指等を接触させたときにおける前記ディスプレイ画面の表示により指示した指示接触位置と前記タッチパネル装置により検出した実接触位置との位置ずれ特性を各操作者毎に対応して取得し記憶した特性記憶部と、前記複数の操作者のいずれかが前記ディスプレイ画面の表示に基づいて前記パネル部に指等を接触させる操作を行うときに、どの操作者であるかを識別する識別部と、前記識別部において識別した操作者に対応する位置ずれ特性を前記特性記憶部から読み出し、前記識別した操作者が前記ディスプレイ画面の表示に基づいて前記パネル部に指等を接触させる操作を行ったときに、前記タッチパネル装置により検出した実接触位置を前記読み出した位置ずれ特性を用いて補正し、このように補正した補正接触位置と前記ディスプレイ画面の表示とを対応させて前記操作者の指示を読み取る情報処理部とを備えることを特徴とする。
【０００９】
なお、上記タッチパネル入力装置において、前記特性記憶部は、前記ディスプレイ画面に接触すべき位置表示を行うとともに前記パネル部を透視して見た前記接触すべき位置を前記操作者の指等で接触させ、このときに前記タッチパネル装置により検出した実接触位置を前記ディスプレイ画面の表示により指示した指示接触位置と比較して、前記操作者の位置ずれ特性を得るようになっていることが好ましい。
【００１０】
また、前記特性記憶部においては、操作者毎に識別コードが付与されて前記操作者の位置ずれ特性が記憶され、前記識別部においては前記識別コードを入力させてどの操作者であるかの識別を行うように構成しても良い。
【発明の効果】
【００１１】
以上のように構成された本発明に係るタッチパネル入力装置によれば、ディスプレイ画面の表示に基づいてパネル部に指等を接触させる操作が行われるときに、このときの操作者に対応した正確なタッチ操作検出が可能となる。
【図面の簡単な説明】
【００１２】
【図１】本発明に係るタッチパネル入力装置の概略構成図である。
【図２】キャリブレーション時の画面を示した図である。
【図３】ディスプレイに表示を行う過程を示したフローチャートである。
【発明を実施するための形態】
【００１３】
以下、本発明の実施形態について、図面を参照しながら説明する。タッチパネル入力装置１は、図１に示すように、例えば販売機、発券装置、携帯端末等の端末装置９０と、端末装置９０の表示部９１を覆って取り付けられたタッチパネル装置２と、制御部４０とを備えて構成される。タッチパネル入力装置１は、表示部９１の表示に基づいてユーザー（端末装置９０に指示を入力する操作者）がタッチパネル装置２に指等を接触させたときに、タッチパネル装置２における指等の押圧位置と表示部９１における表示の表示位置とを対応させてユーザーの指示を読み取り、この指示を端末装置９０に入力させる構成となっている。
【００１４】
タッチパネル装置２は、指等により直接押圧される可撓性を有した矩形平板状の上パネル部１０と、この上パネル部１０に対向して平行に配設された剛性を有した矩形平板状の下パネル部２０とから構成される。上パネル部１０と下パネル部２０とは、周縁部に配設されたスペーサ８を挟んだ状態で結合されており、スペーサ８の厚さに対応する所定間隙（極く小さな隙間）を有して対向している。
【００１５】
上パネル部１０は、例えば透明な可撓性フィルム基板を用いて形成された上基板１１と、この上基板１１の下面に形成された透明電極膜からなる上抵抗膜１２とから構成される。下パネル部２０は、例えば剛性を有したガラス基板を用いて形成された下基板２１と、この下基板２１の上面に形成された透明電極膜からなる下抵抗膜２２とから構成される。この上パネル部１０は、指等でタッチされて押圧されると押圧された方向に撓んで、押圧位置の上抵抗膜１２と下抵抗膜２２とが接触するように形成されている。これら上および下抵抗膜１２，２２は均一な一定の電気抵抗を有する膜からなる。
【００１６】
さらに下パネル部２０の上面には、下抵抗膜２２の矩形状の周囲を囲むように４つの側辺に沿ってそれぞれ独立した直線状電極（図示せず）が配設されている。上述のように上および下抵抗膜１２，２２は均一な一定の電気抵抗を有する膜である。下抵抗膜２２の４つの直線状電極のうち、向かい合った２つの直線状電極を選択して電圧を印加する（残りの２つの電極は絶縁状態とする）。このような状態で、上抵抗膜１２が押圧されると、上抵抗膜１２から出力される電圧値は、上抵抗膜１２が押圧された位置に応じて直線状に変化する。これにより、タッチパネル装置２の押圧位置のうち、横方向位置および縦方向位置のいずれか一方を得ることができる。そして、上記において絶縁状態とされていた２つの電極に対して電圧を印加するとともに、電圧が印加されていた２つの電極を絶縁状態とすることで、タッチパネル装置２の押圧位置のうち、他方（横方向位置または縦方向位置）を得ることができる。
【００１７】
制御部４０は、情報処理部４１、データ記憶部４２および識別情報入力部４３から構成される。情報処理部４１は、上抵抗膜１２、直線状電極、データ記憶部４２、識別情報入力部４３および端末装置９０のそれぞれに対して、各種信号を送受信できるように接続されている。具体的には、情報処理部４１は、タッチパネル装置２からの電圧値を検出するとともに、直線状電極に対して所定の電圧を印加し、端末装置９０に対して表示信号を出力する。識別情報入力部４３はユーザーＩＤを入力可能に構成されており、この識別情報入力部４３から出力されたユーザーＩＤが情報処理部４１に入力される。また、情報処理部４１は、データ記憶部４２に記憶された各データを読み出したり、データ記憶部４２に対して各データを出力する。
【００１８】
データ記憶部４２には、端末装置９０に種々の表示させるための表示用データ、後述するキャリブレーション画面を表示させるキャリブレーション用データ、およびキャリブレーション用の数式情報が記憶されている。さらに、詳細については後述するが、ユーザー毎の識別情報（ユーザーＩＤ）とユーザー毎のキャリブレーション値（以下において、「Ｃ値」と称す）とが、対応付けられて記憶されている。
【００１９】
識別情報入力部４３は、例えばマウスやキーボード等から構成される。タッチパネル入力装置１を利用するユーザーは、例えば表示部９１の表示に基づいて利用開始前にこの識別情報入力部４３を操作して、自己を特定する識別番号等のユーザーＩＤを情報処理部４１に入力する。なお、識別情報入力部４３がカードリーダーを備え、各ユーザーが所持する自分のユーザーＩＤを記憶したＩＤカードからカードリーダーを通してユーザーＩＤを入力するように構成しても良い。
【００２０】
表示部９１は、端末装置９０の上面に設けられている。表示部９１は、上記タッチパネル装置２により覆われるとともに、表示部９１の表示がタッチパネル装置２を通して透視可能となっている。端末装置９０は、情報処理部４１からの表示信号に基づいて、表示部９１に種々の表示を行なわせるようになっている。
【００２１】
上記タッチパネル装置２は、一般に５線式と称されており、タッチパネル装置２における指等で押圧された位置（押圧位置）の検出方法の一例を、以下に説明する。
【００２２】
まず、情報処理部４１により、下抵抗膜２２を囲む４つの直線状電極のうち、例えば下抵抗膜２２の左右（Ｘ方向）に位置した２つの直線状電極に対して所定の電圧を印加して前後（Ｙ方向）に位置した直線状電極に電圧を印加しないで絶縁した第１印加状態と、前後（Ｙ方向）に位置した２つの直線状電極に対して所定の電圧を印加して左右（Ｘ方向）に位置した直線状電極には電圧を印加しないで絶縁した第２印加状態とを、極く短時間で繰り返して発生させる。すると、前述したように、下抵抗膜２２において、これら選択した２つの電極間で直線状に変化する電圧が発生する。しかも、上記第１および第２印加状態が極く短時間で繰り返して発生するため、これら直線上に変化する電圧の発生方向が極く短時間で直交する２方向（ＸおよびＹ方向）に交互に変化する。
【００２３】
この状態でタッチパネル装置２が指等で押圧されると、上パネル部１０がこの押圧に応じて撓み、押圧位置の上抵抗膜１２と下抵抗膜２２とが接触し、このときに上抵抗膜１２を介して押圧位置の電圧が情報処理部４１により検出される。上述のように、下抵抗膜２２には、電圧が印加された２つの電極間で直線状に変化する電圧が発生しており、しかも、第１および第２印加状態が短時間で繰り返して発生しているため、第１印加状態発生時に押圧位置のＸ座標に応じた電圧値が検出され、第２印加状態発生時にこの押圧位置のＹ座標に応じた電圧値が検出されることとなる。そこで、これら検出電圧値を情報処理部４１に入力しＡ／Ｄ変換するとともに２つの電極での電圧と検出電圧とを比例配分演算することにより、押圧位置のＸ座標およびＹ座標を検出することができる。このようにしてタッチパネル装置２の表面が指等で押圧されたときには、その押圧位置の押圧座標（Ｘ，Ｙ）を検出できる。
【００２４】
ところで、上記のタッチパネル入力装置１において、端末装置９０が例えば販売機や発券装置等の場合には、一般的に複数のユーザーが利用する。これら複数のユーザーの中には、例えば表示部９１を斜め横から見る癖を持ったユーザーや、表示部９１の表示に対して片側によった位置を押圧する癖を持ったユーザーが存在することがあったり、ユーザー毎にタッチパネルの押圧力が相違したりする。このような、ユーザー毎のタッチパネル入力装置１を操作する際の癖もしくは相違により、タッチパネル装置２により検出される実際の押圧位置と、表示部９１における表示の位置との間に各ユーザー間で位置ズレが発生する可能性がある。このような位置ズレが発生すると、例えばユーザーが押そうとした表示の隣りに位置した別の表示が、ユーザーが指示した表示として読み取られて入力される問題が生じるおそれがある。
【００２５】
そこで、本発明を適用したタッチパネル入力装置１は、ユーザー毎の癖を考慮することにより、ユーザーが異なってもタッチパネル装置２に対する押圧操作に基づく入力指示を正確に読み取ることができる構成となっている。以下、その構成について、図３に示すフローチャートを参照しながら説明する。なお、以下に説明するユーザーＡは、タッチパネル入力装置１を今回初めて使用する人物であるとして説明する。
【００２６】
ステップＳ１０１において、タッチパネル入力装置１を利用しようとするユーザーＡは識別情報入力部４３を利用して、情報処理部４１に自己のユーザーＩＤを入力する。ステップＳ１０２に進み、情報処理部４１は、データ記憶部４２に記憶されたユーザーＩＤの一覧を参照する。そして、ユーザーＡのユーザーＩＤが記憶されている場合（以前に、ユーザーＡがタッチパネル入力装置１を利用したことがある場合）にはステップＳ１０５に進み、一方、記憶されていない場合（以前に、ユーザーＡがタッチパネル入力装置１を利用したことがない場合）にはステップＳ１０３に進む。この場合、ユーザーＡは、以前にタッチパネル入力装置１を利用したことがなく今回初めて利用するので、ステップＳ１０３に進む。なお、タッチパネル入力装置１を以前に利用したことがあるユーザーで、ユーザーＩＤがデータ記憶部４２に記憶されている場合には、ステップＳ１０２からステップＳ１０３に進むことなく、ステップＳ１０２からステップＳ１０５に進む。
【００２７】
ステップＳ１０３においては、ユーザーＡがタッチパネル装置２を押圧するときの押圧特性を反映させたＣ値の取得が行われる。このＣ値の取得方法の一例について、以下に具体的に説明する。Ｃ値の取得に際してはまず、情報処理部４１により、データ記憶部４２に記憶されたキャリブレーション用データが読み出され、このキャリブレーション用データに基づいて、例えば表示部９１の四隅近傍の指定座標Ｍ１〜Ｍ４に「×」形状が表示される（図２参照）。上記「×」形状の表示とともに、表示部９１には、例えば「４つの×印の交差部分をタッチして下さい」という表示がなされる。この表示に基づいてユーザーＡは、４つの×印の交差部分を狙ってタッチパネル装置２を指で押圧する。
【００２８】
このとき上述したように、タッチパネル装置２において、電圧印加する直線状電極の切り換えおよび電圧値の検出を行うことにより、各指定座標Ｍ１〜Ｍ４に対応した実際に押圧タッチされた位置としてタッチ座標Ｔ１〜Ｔ４が検出される。ここで例えば、ユーザーＡは、図２に示すように、狙った位置に対して僅かに紙面右上位置を押圧したように、タッチパネル装置２において押圧位置が検出されるような押圧するときの癖がある場合でのＣ値の取得について説明する。なお、図２は、各指定座標Ｍ１〜Ｍ４と対応するタッチ座標Ｔ１〜Ｔ４とが、異なった座標となっている状態を分かり易くするために、指定座標とタッチ座標とを誇張して離して図示している。検出されたタッチ座標Ｔ１〜Ｔ４は、Ｔ１（ＸＴ１，ＹＴ１）、Ｔ２（ＸＴ２，ＹＴ２）、Ｔ３（ＸＴ３，ＹＴ３）、Ｔ４（ＸＴ４，ＹＴ４）としてデータ記憶部４２に記憶される。
【００２９】
データ記憶部４２には、次式（１）および（２）で表されるキャリブレーション用の数式が予め記憶されており、情報処理部４１は、タッチ座標Ｔ１〜Ｔ４およびキャリブレーション用の数式をデータ記憶部４２から読み出す。なお、次式（１）および（２）において、指定座標Ｍ１〜Ｍ４を（Ｘ，Ｙ）、タッチ座標Ｔ１〜Ｔ４を（ｘ，ｙ）と表すとともに、ａ〜ｈは係数を表している。
【００３０】
Ｘ＝ａｘ＋ｂｙ+ｃｘｙ+ｄ  …  （１）
Ｙ＝ｅｘ＋ｆｙ+ｇｘｙ+ｈ  …  （２）
【００３１】
そして、情報処理部４１は、式（１）および（２）の（Ｘ，Ｙ）に指定座標Ｍ１〜Ｍ４を、（ｘ，ｙ）にタッチ座標Ｔ１〜Ｔ４をそれぞれ代入して演算することにより、係数ａ〜ｈを算出する。そして、ユーザーＡのＣ値としての補正座標（ＸＣ，ＹＣ）は、算出された係数ａ〜ｈとタッチ座標Ｔ（ＸＴ，ＹＴ）とを用いて、次式（３）および（４）のように求められる。
【００３２】
ＸＣ＝ａＸＴ＋ｂＹＴ+ｃＸＴ・ＹＴ+ｄ  …  （３）
ＹＣ＝ｅＸＴ＋ｆＹＴ+ｇＸＴ・ＹＴ+ｈ  …  （４）
【００３３】
続いてステップＳ１０４に進み、ユーザーＡのＣ値としての補正座標（ＸＣ，ＹＣ）と、ユーザーＡのユーザーＩＤとが対応付けられてデータ記憶部４２に記憶され、ステップＳ１０２に戻る。ステップＳ１０２に戻り、ここで再びユーザーＡのユーザーＩＤがデータ記憶部４２に記憶されているか否かを判定する。この場合、上記ステップＳ１０４においてユーザーＩＤが記憶されているため、ステップＳ１０５に進む。
【００３４】
ステップＳ１０５においては、ユーザーＡのユーザーＩＤを参照することにより、ユーザーＡに対応したＣ値が、情報処理部４１によりデータ記憶部４２から読み出される。
【００３５】
そしてステップＳ１０６に進み、端末装置９０にユーザーＡの指示を入力させる状態に移行し、情報処理部４１により、表示部９１に例えば操作状態に応じた複数の表示がなされる。ユーザーＡは上記複数の表示のうち、図２に示すように、表示部９１における所定座標Ｋ（ＸＫ，ＹＫ）に位置した表示を選択し、この所定座標Ｋ（ＸＫ，ＹＫ）を狙ってタッチパネル装置２を押圧したとする。このとき、ユーザーＡの押圧特性（すなわち癖等）により押圧位置がずれると、タッチパネル２によりこのように座標Ｋ（ＸＫ，ＹＫ）とはずれた位置、例えば座標Ｐ（ＸＰ，ＹＰ）が押圧位置として検出される。
【００３６】
ここで仮に、このように押圧位置として検出された座標Ｐ（ＸＰ，ＹＰ）での表示が所定座標Ｋ（ＸＫ，ＹＫ）に位置した表示とは異なったものである場合には、表示部９１における座標（ＸＰ，ＹＰ）に位置した表示が、ユーザーＡの指示であるとして端末装置９０に入力される。すなわち、ユーザーＡが押圧しようとした表示とは異なる表示が選択されて入力されることとなり、誤作動の原因となり得る。また、表示部９１における座標（ＸＰ，ＹＰ）に表示が存在しない場合には、ユーザーＡの指示を入力できないという問題が発生する。
【００３７】
上記のような問題を生じさせないために、本発明を適用したタッチパネル入力装置１では、情報処理部４１において、検出された座標Ｐ（ＸＰ，ＹＰ）と読み出した補正座標（ＸＣ，ＹＣ）とを基に、座標Ｐを座標Ｐ’（ＸＰ＋ＸＣ，ＹＰ＋ＹＣ）のように補正する。この補正された座標Ｐ’（ＸＰ＋ＸＣ，ＹＰ＋ＹＣ）は図２に例示されているが、これによりユーザーの特性もしくは癖を修正し、ユーザーが本来押圧しようとしていた表示部９１における座標Ｋ（ＸＫ，ＹＫ）が実際の押圧位置として検出され、正確な位置検出が行われることになる。
【００３８】
続いてステップＳ１０７に進み、情報処理部４１は、上記ステップＳ１０７において求められた座標Ｐ’（ＸＰ＋ＸＣ，ＹＰ＋ＹＣ）を基に、表示部９１における座標Ｐ’（ＸＰ＋ＸＣ，ＹＰ＋ＹＣ）に位置した表示（例えば、アイコン）に基づく表示制御を展開する。このように、補正した座標に位置した表示制御を展開することにより、ユーザーＡの押圧特性もしくは癖に影響されることなく、常にユーザーＡが選択した表示に基づく表示制御を正確に展開することができるので、上記のような誤作動や指示を入力できないという事態の発生を確実に防止できる。つまり、本発明を適用したタッチパネル入力装置１は、ユーザー毎のタッチパネル装置２に対する押圧操作に基づく指示を、正確に読み取ることができる。
【００３９】
なお、ユーザーＡがタッチパネル装置２を押圧してタッチパネル装置２において検出された各押圧位置のそれぞれについて、上述のようにユーザーＡ固有の補正座標（ＸＣ，ＹＣ）を用いて補正し、表示部９１における補正された座標に位置した表示をユーザーＡが押圧して選択した表示として表示制御を展開する。そうすることにより、ユーザーＡが行った押圧操作のそれぞれについて、ユーザーＡが選択した表示を正確に展開することができる。このようにして、ユーザーＡによって、タッチパネル装置２を押圧して行うタッチパネル入力装置１への入力操作が完了することにより、このフローが終了する。
【００４０】
なお、次回ユーザーＡがタッチパネル入力装置１を利用する場合、データ記憶部４２にユーザーＡ固有の補正座標（ＸＣ，ＹＣ）がこのユーザーＡのユーザーＩＤに対応して記憶されているため、上記ステップＳ１０２からステップＳ１０３およびステップＳ１０４を経ることなく、ステップＳ１０５に進む。
【００４１】
以上説明したように、本発明を適用したタッチパネル入力装置１は、ユーザー毎の押圧特性に基づいて設定されたユーザー毎の補正座標（ＸＣ，ＹＣ）を用いて押圧位置を補正するように構成されている。そのため、例えばユーザーの押圧特性により、タッチパネル装置２において狙った位置とは異なる位置が押圧されたとしても、押圧特性による押圧位置のずれが補正されるため、ユーザー毎の押圧特性の相違に影響されることなくユーザーが選択した表示を正確に展開することが可能となる。このように、選択した表示以外の表示制御が展開されることがないので、各ユーザーは違和感を感じることなく快適にタッチパネル入力装置１を操作できる。
【００４２】
上述の実施形態において、予め設定された一次式の係数を求めることにより、ユーザー毎のＣ値を算出するキャリブレーション方法を例示して説明したが、この方法に限定されない。例えば、各指定座標に対して対応するタッチ座標が、Ｘ方向およびＹ方向にどれだけずれて検出されるかを算出し、Ｘ方向およびＹ方向の各ずれ量の平均値をそのユーザー固有のＣ値と決定する方法でも良い。
【符号の説明】
【００４３】
１  タッチパネル入力装置
２  タッチパネル装置
１０  上パネル部（パネル部）
２０  下パネル部（パネル部）
４１  情報処理部（識別部）
４２  データ記憶部（特性記憶部、識別部）
９１  表示部（表示装置）
【図１】
2010286942.tif 000003
【図２】
2010286942.tif 000004
【図３】
2010286942.tif 000005